(57)【要約】【課題】電力線通信システムにおいて直列信号注入を用いて十分な信号強度を維持する。【解決手段】結合回路網は、第１の電力線インターフェースポートと電力線モデムトランシーバに結合されるように構成された電力線モデムインターフェースを備える。電力線モデムインターフェースに結合されたインダクタ−コンデンサ回路は、電力線モデムトランシーバの信号周波数において低インピーダンス共振周波数を有する。信号周波数と電力線周波数の間のコーナー周波数を有するインダクタは、第１の端部と第２の端部を有する。インダクタの第１の端部は、インダクタ−コンデンサ回路に接続され、インダクタの第２の端部は、トランシーバのグランドに結合された交流グランドに結合される。インダクタは、第１の電力線インターフェースポートを電源インターフェースポートに結合する。【選択図】図６
2006074763.tif 000002
【特許請求の範囲】
【請求項１】
第１の電力線インターフェース・ポート（２０２）と、
電力線モデム・トランシーバ（１９２）に結合されるように構成された電力線モデム・インターフェース（１９１）と、
前記電力線モデム・インターフェースに結合され、前記電力線モデム・トランシーバの信号周波数において低インピーダンス共振周波数を有するインダクタ・コンデンサ回路と、
トランシーバ・グランド（２０５）に結合された交流グランド（２０７）と、
第１の端部（２０１）と第２の端部（２０３）とを有するインダクタ（２００）であって、前記信号周波数と電力線周波数との間のコーナー周波数を有し、前記第１の端部（２０１）が前記インダクタ・コンデンサ回路に接続され、前記第２の端部（２０３）が前記交流グランドに結合された、インダクタ（２００）と、
前記インダクタ（２００）を介して、前記第１の電力線インターフェース・ポート（２０２）に結合された電源インターフェース・ポート（２０４）
とを具備する、結合回路網（１９０）。
【請求項２】
前記インダクタが変圧器（２４４）の巻線であることを特徴とする、請求項１に記載の結合回路網。
【請求項３】
前記インダクタの前記第１の端部が前記第１の電力線インターフェース・ポートに接続される、請求項１に記載の結合回路網。
【請求項４】
前記インダクタの前記第１の端部が前記電源インターフェース・ポートに接続される、請求項１に記載の結合回路網。
【請求項５】
さらに、前記第１の電力線インターフェース・ポート及び前記第２の電力線インターフェース・ポート（２０８）に結合されたコンデンサ（１１２′）を具備する、請求項１に記載の結合回路網。
【請求項６】
前記コンデンサのインピーダンスが、前記結合回路網の信号周波数において約２０オーム未満である、請求項５に記載の結合回路網。
【請求項７】
さらに、
第２の電力線インターフェース・ポート（２０８）と、
前記第２の電力線インターフェース・ポートに接続された第１の電力線リード線（２１１）と、
電源インターフェース・ポート（２０４）に接続された第２の電力線リード線（２０９）と、
前記第１の電力線リード線と前記第２の電力線リード線に接続された電源（２０６）とを具備する、請求項１に記載の結合回路網。
【請求項８】
前記電源が線形電源である、請求項７に記載の結合回路網。
【請求項９】
前記電源がスイッチング電源（２０６′）である、請求項７に記載の結合回路網。
【請求項１０】
さらに、前記電力線モデム・トランシーバ（１９２）を具備する、請求項１に記載の結合回路網。
【発明の詳細な説明】
【背景技術】
【０００１】
電力線通信（「ＰＬＣ」）システムは、電力線（電力ラインともいう）を利用して、コンピュータまたは共用電子装置間のような、ネットワークにおける電子装置間の情報交換を行う。ＰＬＣシステムでは、電力線モデム（「ＰＬＭ」）を利用して、家庭、オフィス、ビル、または、ビル間コンピュータ・ネットワーク及び同様の用途における電子装置の接続が実施される。
【０００２】
ＰＬＭには、一般に、結合回路網によって電力線に結合された受信機及び１つ以上の送信機線路ドライバが備わっている。ＰＬＭは、電力線に結合された電源によって電力供給される場合が多い。電力線は、一般に、１２０ＶＡＣまたは２３０ＶＡＣといった、危険な電圧レベルで動作する。電源に接続された装置のユーザを感電または傷害から防護することが重要になる。
【０００３】
図１は、並列信号注入を使用する先行技術によるＰＬＣシステム１００を示す図である。「幹線路」または単に「幹線」としても知られる電力線１０２、１０４は、説明の便宜上、「線路（ラインともいう）」（「Ｌ」）１０２、「中性線（中性ラインともいう）」（「Ｎ」）１０４として任意に指定される。電力線１０２、１０４は、一般に、装置及び器具に電力を供給するため、比較的高いＡＣ電圧で動作する。電力線１０２、１０４からのＡＣ電力は、電源リード線１０８、１１０に沿って電源１０６に供給される。電源１０６に、従って、ＰＬＭ１１４に侵入するかも知れない電磁障害（「ＥＭＩ」）を抑圧するため、電源リード線１０８、１１０の間には、ＥＭＩフィルタ・コンデンサ１１２が設けられている。ＥＭＩフィルタ・コンデンサは、一般に、約１ナノ・ファラッド（「ｎＦ」）を超える。結合回路網１１６は、ＰＬＭ１１４が受信し、送信する信号を電力線１０２、１０４に結合する。ＰＬＭ１１４は、データの送信または受信は可能であるがデータの同時送受信は行われない、半二重方式で動作するように設計されている。
【０００４】
図２は、変圧器結合並列信号注入を使用する従来の結合回路網１１８の略回路図である。送信機線路ドライバ（Ｔｘ ＬＤ）１２０及び受信機（Ｒｘ）１２２は、変圧器１２４、コンデンサ１２６、１２８、１３０、及び、インダクタ１３２を介して電力線インターフェース１０２′、１０４′に結合されている。送信機線路ドライバ１２０の出力１３４と変圧器１２４との間のコンデンサ１２６、及び、受信機の入力１３６と変圧器１２４との間のコンデンサ１２８は、選択された周波数（「信号周波数」）の信号を通過させる値を有するように選択されている。典型的な信号周波数は、１００ｋＨｚであり、代替信号周波数は、一般に、線路周波数（または電源周波数）（例えば、約５０または６０Ｈｚ）と約１００ＭＨｚの間である。
【０００５】
一般に、コンデンサ１２６、１２８の値は、信号周波数において比較的低インピーダンスになるように選択される。直列をなすコンデンサ１３０及びインダクタ１３２の値は、信号周波数において共振短絡が生じるように選択されている（すなわち、直列に組み合わせた全インピーダンスが、信号周波数においてほぼゼロになる）。この回路は、一般に、「直列Ｌ−Ｃ回路」として知られている。
【０００６】
変圧器１２４によって、電力線の高電圧が送信機線路ドライバ１２０と受信機１２２から絶縁される。さらに、酸化金属バリスタ（「ＭＯＶ」）のような第１の電圧制限素子１３４によって、電力線インターフェース・ポート１０２′、１０４′の間における電圧が制限される。例えば、２３０ＶＡＣの電力線電圧で動作するように設計されたシステムの場合、ＭＯＶ１３４は、その両端間の電圧を２７５Ｖ未満に制限するように選択される。換言すれば、ＭＯＶ１３４は、２７５Ｖにおいて、高抵抗状態（ほぼ開路状態）から低抵抗状態（一般に数オーム）に遷移する。ＭＯＶ１３４によって、変圧器の入力側巻線の両端間に生じる可能性のある電圧が制限される。
【０００７】
アバランシェ・ダイオードまたはツェナ・ダイオードのような第２の電圧制限素子１３６によって、変圧器１２４のＰＬＭ側の電圧が制限される。第２の電圧制限素子１３６は、一般に、「過渡電圧抑圧器」（「ＴＶＳ」）として知られ、従来の受信機及び送信機の場合、一般に約５Ｖである、第２の選択された電圧で導通する（すなわち、ほぼ短絡する）。
【０００８】
図３は、変圧器結合並列信号注入及び２つの送信機を使用するもう１つの従来の結合回路網１４０の略回路図である。受信機１２２′は、変圧器１２４の二次巻線１４２の両側から差動入力を受信する。ＴＶＳ１３６は、受信機１２２′の入力１４４、１４６の間に接続されている。送信機線路ドライバ１２０、１２０′は、送信機の二次巻線１４２を駆動する、位相が１８０度ずれた入力信号１４８、１５０を受信し、同様の設計の単一送信機線路ドライバを用いたＰＬＭと比較して、送信信号の電力が２倍になるようにする。
【０００９】
図４は、容量結合並列信号注入を使用する従来の結合回路網１６０の略回路図である。分路インダクタ１６２によって、直列Ｌ−Ｃ回路を形成するコンデンサ１３０′及びインダクタ１３２′によって阻止されない、一般に、６０Ｈｚまたは５０Ｈｚ（すなわち、信号周波数よりもはるかに低い周波数）である、電力線電圧が分岐される。過渡電圧スパイクから送信機線路ドライバ１２０及び受信機１２２を防護するため、分路インダクタ１６２の両端間には、ＴＶＳ１３６が接続されている（そうでなければ、この過渡電圧スパイクは、結合コンデンサ１２６、１２８を介して結合される可能性がある）。
【００１０】
しかし、並列信号注入を用いる複数のＰＬＭを使用すると、望ましくないことには、変圧器結合か、容量結合かにかかわらず、フィルタ・コンデンサを組み込んだ標準電源に用いられる場合、ＰＬＭへの信号及びＰＬＭからの信号が取り込まれることになる。
【発明の開示】
【発明が解決しようとする課題】
【００１１】
電力線通信システムにおいて十分な信号強度を維持することが１つの課題である。
【課題を解決するための手段】
【００１２】
結合回路網は、第１の電力線インターフェース・ポートと、電力線モデム・トランシーバに結合されるように構成された電力線モデム・インターフェースを備えている。電力線モデム・インターフェースに結合されたインダクタ・コンデンサ回路は、電力線モデム・トランシーバの信号周波数において低インピーダンス共振周波数を有している。信号周波数と電力線周波数との間のコーナー周波数を有するインダクタには、第１の端部と第２の端部が設けられている。インダクタの第１の端部は、インダクタ・コンデンサ回路に接続され、インダクタの第２の端部は、トランシーバのグランド（アース）に結合された交流グランド（アース）に結合されている。インダクタによって、第１の電力線インターフェース・ポートが電源インターフェース・ポートに結合される。
【実施例】
【００１３】
図５は、並列信号注入に結合回路網を使用するＰＬＭが電力線１０２、１０４に接続される場合に生じる問題を例示した、先行技術によるＰＬＣシステム１７０を示す図である。ＥＭＩフィルタ・コンデンサ１１２のキャパシタンスは、１つの電源リード線１０８からもう１つの電源リード線１１０にＥＭＩを結合するように選択されている。換言すれば、そのキャパシタンスは、問題とする最低周波数においてＥＭＩを結合するのに十分なほど大きく、一般には、約１ｎＦを超え、より一般的には、約１００ｎＦを超える。最低ＥＭＩ周波数は、信号周波数より低いか、または、ほぼ同じとすることが可能であり、フィルタ・コンデンサ１１２には、結合回路網１１６に対する有効（すなわち、全）負荷のインピーダンスを低下させるという望ましくない効果がある。
【００１４】
例えば、Ｚ１は、電力線の他のノードの負荷（例えば、追加ＰＬＭのような接続された装置）を表わす、電力線１０２、１０４の負荷終端のインピーダンスである。一般に、ＰＬＭにおける送信機線路ドライバから大電流出力を提供させなくても済むようにするには、負荷インピーダンスをできるだけ高く保つことが望ましい。大電流ドライバは、一般に、同じだけの量の電流を供給する必要のない送信機線路ドライバに比べると、大型で、さらに多くの電力を消費する。Ｚ２は、フィルタ・コンデンサ１１２と電源１０６によって生じる、電力線１０２、１０４の間のインピーダンスである。Ｚ２は、図５に既に示されている電源１０６及びＥＭＩフィルタ・コンデンサ１１２の合成インピーダンスであることを表わすため、点線で示されている。結合回路網１１６から見た有効負荷（全並列インピーダンス）Ｚｐｉは、下記の式によって表わされる（式中*は乗算を表す）。
Ｚｐｉ＝Ｚ１＊Ｚ２／（Ｚ１＋Ｚ２）    式１
【００１５】
フィルタ・コンデンサのキャパシタンスが十分に大きい為、全並列インピーダンスＺｐｉが、１００ｋＨｚにおいてわずか約１．５オームにしかならないという場合が多い。このため、ＰＬＭにおいて多量の電流が引き出されることになる。送信機線路ドライバが十分な電流を供給できなければ、信号強度が低下する。
【００１６】
図６は、本発明の実施態様の１つによる直列信号注入を用いるＰＬＣシステム１８０を示す図である。直列結合回路網１８６（例えば、図７〜図９参照）は、電力線１８２、１８４のうち線路１８２に沿って直列に接続されている。電源１８８は、電力線１８２、１８４の間に（すなわち、並列に）接続されている。線路１８２のＡＣ電力は結合回路網１８６を通って伝送される。
【００１７】
Ｚ１は、電力線の他のノードの負荷（例えば、追加ＰＬＭのような他の接続された装置）を表す、電力線１８２、１８４の負荷端部のインピーダンスである。Ｚ２は、ＥＭＩフィルタ・コンデンサ１１２′と電源１８８によって生じる、電力線１０２、１０４の間のインピーダンスである。ＥＭＩフィルタ・コンデンサのキャパシタンスは、この実施態様の場合、直列注入信号に影響を与えることなくより多くのＥＭＩ雑音を分岐させるために、図５と比較して、より大きい値にすることができる。Ｚ２は、図６に既に示されている電源１８８及びＥＭＩフィルタ・コンデンサ１１２′の合成インピーダンスであることを表わすため、点線で示されている。有効負荷（全直列インピーダンス）Ｚｓｉは、下記の式によって表わされる。
Ｚｓｉ＝Ｚ１＋Ｚ２      式２
【００１８】
従って、ＺｓｉはＺ１またはＺ２より大きいが、式１のＺｐｉはＺ１またはＺ２より小さい。ＤＣ電源（例えば、図７参照）、２２０ｎＦのＥＭＩフィルタ・コンデンサ、及び、１．５オームの負荷を使用する実施態様の１つでは、結合回路網１８６から見た全有効負荷インピーダンスは、約６オームである。これは、並列信号注入を使用する同様のＰＬＣにおける有効負荷インピーダンスＺｐｉの４倍である。直列信号注入によって有効インピーダンスが高くなると、ＰＬＭ１１４における送信機線路ドライバに対する動作上の制約が緩和される。すなわち、高インピーダンスの有効負荷Ｚｓｉによって、引き出される電流が少なくなるので、より小さな、より小電力の送信機線路ドライバをＰＬＭに使用し、同時に、十分な信号強度を維持することが可能になる。
【００１９】
図７は、容量結合直列信号注入を使用する結合回路網１９０の略回路図である。ＰＬＭトランシーバ１９２への／からの信号は、ＰＬＭインターフェース１９１、コンデンサ１９４、１９６、及び、インダクタ１９８を介して、電力線に結合される。コンデンサ１９４、１９６、及び、インダクタ１９８の値は、信号周波数において低インピーダンス共振を生じるインダクタ・コンデンサ（「Ｌ−Ｃ」）回路が得られるように選択される。信号周波数は、一般に、線路周波数から信号周波数を有効に分離できるようにするのに十分なほど線路周波数より高い周波数と、約１００ＭＨｚとの間である。幹線のインダクタ２００によって、第１の電力線インターフェース・ポート２０２が電源２０６との電源インターフェース・ポート２０４に結合される。ＡＣグランド（アース）２０７（一般に、トランシーバ・アース２０５（「グランド」）にＡＣ線路電力が結合しないようにするのに十分なほど小さいキャパシタンスを有する信号経路と直列をなすコンデンサ）によって、信号または高周波ノイズのような高周波がグランド（アース）に戻される。幹線インダクタ２００の第１の端部２０１は、Ｌ−Ｃ回路に接続されており、幹線インダクタ２００の第２の端部２０３は、ＡＣアース２０７に接続されている（尚、図中、１例としてＶｃｃは電源電圧をＧＮＤはグランドをそれぞれ表す）。
【００２０】
従って、電力幹線の電流は、結合回路網の幹線インダクタ２００を通って、電源２０６まで流れる。幹線インダクタ２００のコーナー周波数は、信号周波数と電力線周波数の間である。換言すれば、幹線インダクタ２００は、信号周波数において高インピーダンスをもたらすのに十分なインダクタンスを有しており、従って、ＰＬＭ１９２が送受信する信号に対して実質的に開回路として働きをするので、信号が第１の電力線インターフェース・ポート２０２に／から結合されることになり、また、電力線周波数では、低インピーダンスになるので、線路電力が電源に伝送されることになる。第１の電力線インターフェース・ポートは、線路電圧（図６の参照番号１８２参照）に接続されており、線路電力は、結合回路網１９０の幹線インダクタ２００を通って、電源２０６まで流れる。信号２３０は、第１の電力線インターフェース・ポート２０２から幹線路に直列に注入される。
【００２１】
電源２０６は、結合回路網１９０を介して第１の電力線インターフェース・ポート２０２から、及び、第２の電力線インターフェース・ポート２０８から電源線路（図６の参照番号１８２、１８４参照）に接続された線形電源（リニア電源）である。従って、電力線リード線（電力ラインリードともいう）の一方２０９は、電源インターフェース・ポート２０４において結合回路網１９０に接続され、もう一方の電力線リード線２１１は、第２の電力線インターフェース・ポート２０８においてもう一方の電力線に接続されている。この構成によって、結合回路網１９０は電力線と直列に配置されることになる。ＥＭＩフィルタ・コンデンサ１１２′は、上述のように、電力線リード線２０９、２１１の間でＥＭＩを分岐させるが、幹線インダクタ２００が、ＥＭＩコンデンサ１１２′からの信号を阻止し、ＥＭＩコンデンサ１１２′のキャパシタンスは、同様の並列信号注入用途におけるＥＭＩコンデンサよりも大きくなる可能性がある。第１の電力線インターフェース・ポート２０２と第２の電力線インターフェース・ポート２０８との間のＭＯＶ２１０は、例えば、落雷または電圧スパイクから生じる可能性のある、電力線間の過電圧を分岐させる。ＭＯＶは、信号周波数において比較的抵抗が大きく、送信または受信にあまり影響することはない。
【００２２】
降圧変圧器（ステップダウンコンバーター）２１２は、ＡＣ電力をＤＣ電力に変換するダイオード・ブリッジ２１４、２１６にＡＣ電力を供給する。ＤＣ電力は、コンデンサ２１８、２２０、２２２、２２４によってフィルタリングを施され、線形電圧調整器２２６、２２８によって調整される。フィルタリングを施され、調整された電源２０６からのＤＣ電力とＰＬＭトランシーバ１９２との接続は、説明を単純化するため、省略されている。信号２３０は、第１の電力線インターフェース・ポート２０２を介して送／受信される。代替的には、第１の電力線インターフェース・ポートは、中性線に接続され、第２の電力線インターフェース・ポートは、線路に接続される。
【００２３】
図８は、容量結合直列信号注入を使用するもう１つの結合回路網１９０′の略回路図である。ＰＬＭトランシーバ１９２への／からの信号は、ＰＬＭインターフェース１９１、コンデンサ１９４、１９６、及び、インダクタ１９８を介して電力線（図６の参照番号１８２、１８４参照）に結合される。コンデンサ１９４、１９６、及び、インダクタ１９８の値は、信号周波数において低インピーダンス共振が生じるＬ−Ｃ回路が得られるように選択される。図７に関連して上述したように、幹線インダクタ２００によって、第１の電力線インターフェース・ポート２０２が電源インターフェース・ポート２０４′に結合される。ＰＬＭトランシーバ１９２への／からの信号は、図７に示す実施態様のように、第１の電力線インターフェース・ポート２０２から／へではなく、電源インターフェース・ポート２０４′から／へも結合される。ＡＣグランド（ＡＣアース）２０７′によって、信号または高周波ノイズのような、第１の電力線インターフェース・ポート２０２に生じる高周波がトランシーバ・アース（トランシーバ・グランド）２０５に戻される。幹線インダクタ２００の第１の端部２０１′は、Ｌ−Ｃ回路に接続され、幹線インダクタ２００の第２の端部２０３′は、ＡＣグランド（ＡＣアース）２０７′に接続されている。
【００２４】
図７の実施態様のように、電力幹線の電流は、結合回路網の幹線インダクタ２００を通って電源２０６まで流れる。幹線インダクタ２００のコーナー周波数は、信号周波数と電力線周波数の間であり、信号周波数において高インピーダンスを生じ、従って、ＰＬＭ１９２が送受信する信号に対して実質的に開回路として動作するので、信号が第１の電力線インターフェース・ポート２０２へ／から結合されることになる。第１の電力線インターフェース・ポートは、線路電圧（図６の参照番号１８２参照）に接続されており、線路（幹線）電力は、結合回路網１９０′を通って、電源２０６まで流れる。ＰＬＭトランシーバ１９２からの信号は、コンデンサ１９４、１９６、及び、インダクタ１９８の共振Ｌ−Ｃ回路網を通って電源インターフェース・ポート２０４′まで伝搬する。
【００２５】
信号は、さらに、ＥＭＩフィルタ・コンデンサ１１２′を通って伝搬するが、電源２０６の降圧変圧器２１２の一次巻線２３２は通らない。信号は、ＥＭＩフィルタ・コンデンサ１１２′を介して最小限の損失で結合されることを意図したものであるため、オプションにより、キャパシタンスは、並列信号注入を用いるＰＬＣシステムに使用されるＥＭＩフィルタ・コンデンサのために一般に選択されるキャパシタンスよりも高くなるように選択される。
【００２６】
例えば、信号周波数が１００ｋＨｚのＰＬＣシステムに用いられる１００ｎＦのコンデンサは、インピーダンスが約１６オームである。キャパシタンスが増大するとインピーダンスが低くなって、ＰＬＭから引き出される電流が増し、並列信号注入を用いるＰＬＣシステムの信号強度が低下する。並列信号注入を利用して、過剰電流引き出しを回避するＰＬＣシステムの場合、インピーダンスが少なくとも２０オームのＥＭＩコンデンサを用いるのが望ましい。しかし、直列信号注入を使用する本発明の実施態様では、ＥＭＩコンデンサのキャパシタンスを増すと、信号周波数におけるインピーダンスが約６オーム〜約１２オームになる可能性がある。このキャパシタンスの増大は、図８の実施態様のＥＭＩコンデンサ１１２′を介した信号の結合にとって有利なだけではなく、図７及び図８の実施態様におけるＥＭＩの抑圧にとっても有利になる。
【００２７】
信号２３０′は、第２の電力線インターフェース・ポート２０８から中性線に直列に注入される。信号電流は、線路から中性線に進むこともできるし、または、中性線から線路に流れることも可能である。代替的には、第１の電力線インターフェース・ポートは、中性線に接続され、第２の電力線インターフェース・ポートは、線路に接続される。
【００２８】
図９は、変圧器結合直列信号注入を使用するもう１つの結合回路網２４０の略回路図である。ＰＬＭトランシーバ１９２からの信号は、ＰＬＭインターフェース１９１、及び、コンデンサ１９４、１９６とインダクタ１９８によるＬ−Ｃ回路を通って、図７及び図８の実施態様の幹線インダクタ２００のようなインダクタの働きをする、信号結合変圧器２４４の第１の巻線（一次巻線としてもよい）２４２の第１の端部２４１まで伝搬する。第１の巻線２４２の第２の端部２４３は、ＡＣアース２０７に接続される。信号結合変圧器２４４によって、信号が信号結合変圧器２４４の第２の巻線（二次巻線としてもよい）２４６に結合される。信号２３０″は、第１の電力線インターフェース・ポート２０２から幹線路に直列に注入される（図６の参照番号１８２参照）。代替的には、第１の電力線インターフェース・ポートは、中性線に接続され、第２の電力線インターフェース・ポートは、線路に接続される。
【００２９】
幹線電力は、第１の電力線インターフェース・ポート２０２から、信号結合変圧器２４４の第２の巻線２４６を介して、電源インターフェース・ポート２０４″に、さらには、スイッチング電源２０６′に結合される。電源変圧器２４８は、ＥＭＩフィルタ・コンデンサ１１２″と連係して動作し、ＥＭＩフィルタ２５０を形成する。ＥＭＩコンデンサは、スイッチング・ノイズを抑圧する場合の有効なフィルタリング手段である。既存のため、追加コストの負担がなく、ＥＭＩコンデンサは、電源からのスイッチング・ノイズの抑圧と、電力線からのＥＭＩのフィルタリングという二重の機能を果たす。第２の電力線インターフェース・ポート２０８は、中性幹線電力線に接続される。従って、線路電圧は、結合回路網２４０を介して電源変圧器２４８に供給される。スイッチング電源は、当業者にとって周知のものであり、従って、スイッチング電源２０６′の詳細な説明及びその動作に関する解説は省略することにする。電源からの電力（Ｖｃｃ２）は、ＰＬＭのＶｃｃ２で表示された端子に供給される。代替的には、第１の電力線インターフェース・ポートは、中性線に接続され、第２の電力線インターフェース・ポートは、線路に接続される。
【００３０】
本発明による結合回路網は、第１の電力線インターフェースポートと電力線モデムトランシーバに結合されるように構成された電力線モデムインターフェースを備える。電力線モデムインターフェースに結合されたインダクタ−コンデンサ回路は、電力線モデムトランシーバの信号周波数において低インピーダンス共振周波数を有する。信号周波数と電力線周波数の間のコーナー周波数を有するインダクタは、第１の端部と第２の端部を有する。インダクタの第１の端部は、インダクタ−コンデンサ回路に接続され、インダクタの第２の端部は、トランシーバのグランドに結合された交流グランドに結合される。インダクタは、第１の電力線インターフェースポートを電源インターフェースポートに結合する。
【００３１】
本発明の望ましい実施態様について詳細に説明してきたが、当業者であれば、特許請求の範囲に記載の本発明の範囲を逸脱することなく、これらの実施態様に対する変更及び改変が可能であることは明らかである。
【図面の簡単な説明】
【００３２】
【図１】並列信号注入を使用する先行技術によるＰＬＣシステムを示す図である。
【図２】変圧器結合並列信号注入を使用する従来の結合回路網の略回路図である。
【図３】変圧器結合並列信号注入及び２つの送信機を使用するもう１つの従来の結合回路網の略回路図である。
【図４】容量結合並列信号注入を使用する従来の結合回路網の略回路図である。
【図５】並列信号注入を使用するＰＬＭが電力線に接続される場合に生じる問題を例示した、先行技術によるＰＬＣシステムを示す図である。
【図６】本発明の実施態様の１つによる直列信号注入を用いるＰＬＣシステムを示す図である。
【図７】容量結合直列信号注入を使用する結合回路網の略回路図である。
【図８】容量結合直列信号注入を使用する別の結合回路網の略回路図である。
【図９】変圧器結合直列信号注入を使用するもう１つの結合回路網の略回路図である。
【符号の説明】
【００３３】
１１２′  コンデンサ
１９０  結合回路網
１９１  電力線モデム・インターフェース（ＰＬＭインターフェース）
１９２  電力線モデム・トランシーバ（ＰＬＭトランシーバ）
２００  インダクタ
２０１  インダクタの第１の端部
２０２  第１の電力線インターフェース・ポート
２０３  インダクタの第２の端部
２０４  電源インターフェース・ポート
２０５  トランシーバ・グランド（トランシーバ・アース）
２０６  電源
２０６′  スイッチング電源
２０７  交流グランド（交流アース）
２０８  第２の電力線インターフェース・ポート
２０９  第２の電力線リード線
２１１  第１の電力線リード線
２４４  変圧器
【図１】
2006074763.tif 000003
【図２】
2006074763.tif 000004
【図３】
2006074763.tif 000005
【図４】
2006074763.tif 000006
【図５】
2006074763.tif 000007
【図６】
2006074763.tif 000008
【図７】
2006074763.tif 000009
【図８】
2006074763.tif 000010
【図９】
2006074763.tif 000011